(57)【要約】【課題】雄コネクタと雌コネクタとが完全嵌合状態であるにも拘わらず半嵌合状態であると誤検知（誤判断）することを低減することができるコネクタ嵌合方法を提供する。【解決手段】雄コネクタ１０の治具装着部１５は、第１方向Ｄ１に延びる平板形状のガイド部１８を備える。雄コネクタ１０と雌コネクタ２０とが完全嵌合状態である場合、取付部３１を治具装着部１５から取り外すときは、少なくとも半嵌合検知用凸部３５の後端部３５ｂがロック部１７の先端面１７ｂよりも第１方向Ｄ１の後端側Ｄ１Ｋに移動するまで、第１被ガイド部３２と第２被ガイド部３３との間にガイド部１８が挟まれた状態が維持されることで、半嵌合検知用凸部３５が原位置に位置するロック部１７に引っ掛かることなく取付部３１が治具装着部１５から取り外されることで、完全嵌合状態であることを検知する。【選択図】図１５
2018056067.tif 000002
【特許請求の範囲】
【請求項１】
雄コネクタと雌コネクタとをコネクタ嵌合治具を用いて嵌合するコネクタ嵌合方法において、
前記雄コネクタは、雄コネクタ本体部と、ロック部を有する可撓性のロックアームを含む治具装着部と、を備え、
前記雌コネクタは、前記雄コネクタ本体部が挿入される挿入空間を有する雌コネクタ本体部と、前記ロック部と係合して前記ロック部を係止する係止部と、を備え、
前記コネクタ嵌合治具は、前記雄コネクタの前記治具装着部に取り付ける取付部を有し、
前記雄コネクタと前記雌コネクタとを嵌合させるときは、前記コネクタ嵌合治具の前記取付部を前記雄コネクタの前記治具装着部に取り付けた状態で、前記雄コネクタ本体部を前記雌コネクタ本体部の前記挿入空間内に挿入してゆくと、原位置に位置している前記ロック部が前記係止部に接触し、
その後、さらに、前記雄コネクタ本体部を前記雌コネクタ本体部の前記挿入空間内に挿入させてゆくと、前記ロック部が前記係止部から前記取付部側に力を受けることによって、前記ロックアームが前記取付部側に撓みつつ前記ロック部が前記取付部側に変位してゆき、前記ロック部が前記原位置から前記取付部側に変位した状態の、前記雄コネクタと前記雌コネクタとが完全に嵌合していない半嵌合状態となり、
その後、さらに、前記雄コネクタ本体部を前記雌コネクタ本体部の前記挿入空間内に挿入させてゆくと、前記ロック部が前記係止部から受けていた力が解除され、撓んでいた前記ロックアームがその弾性によって復元すると共に前記ロック部が前記原位置に戻り、前記ロック部が前記係止部と係合して前記ロック部が前記係止部によって係止された状態の、前記雄コネクタと前記雌コネクタとが完全に嵌合した完全嵌合状態となる
コネクタ嵌合方法であって、
前記雄コネクタの前記治具装着部は、第１方向に延びる平板形状のガイド部を備え、
前記コネクタ嵌合治具の前記取付部は、間隙を空けて前記第１方向に平行に延びる一対の被ガイド部であって、当該取付部を前記治具装着部に取り付けた状態で前記ガイド部を挟む一対の被ガイド部を有し、
前記一対の被ガイド部は、前記ガイド部を挟んだ状態で、前記ロック部と前記ガイド部との間に位置する平板状の第１被ガイド部と、前記ガイド部について前記第１被ガイド部とは反対側に位置する平板状の第２被ガイド部とであり、前記第１被ガイド部は、前記第１方向の先端側に、前記ロック部側に突出する形態の半嵌合検知用凸部を有し、
前記コネクタ嵌合治具の前記取付部を前記雄コネクタの前記治具装着部に取り付けるときは、前記第１被ガイド部と前記第２被ガイド部との間に前記ガイド部を挟み入れるようにして、前記第１被ガイド部及び前記第２被ガイド部をその先端側から前記第１方向の先端側に移動させて、前記半嵌合検知用凸部を前記ロック部よりも前記第１方向の先端側に配置して、前記取付部が前記治具装着部に取り付けられた状態にし、
前記コネクタ嵌合治具を前記第１方向の後端側に移動させて前記取付部を前記治具装着部から取り外すときは、前記第１被ガイド部と前記第２被ガイド部とが、両者の間に挟まれている前記ガイド部によって前記第１方向の後端側への移動を案内され、
前記半嵌合状態である場合に、前記コネクタ嵌合治具を前記第１方向の後端側に移動させて前記取付部を前記治具装着部から取り外そうとすると、前記半嵌合検知用凸部の後端部が、前記原位置から前記第１被ガイド部側に変位している前記ロック部の先端面に接触する態様で、前記半嵌合検知用凸部が前記ロック部に引っ掛かり、前記第１被ガイド部と前記第２被ガイド部との間に前記ガイド部が挟まれた状態が維持されて、前記取付部を前記治具装着部から取り外すことができないことで、前記半嵌合状態であることを検知し、
前記完全嵌合状態である場合、前記コネクタ嵌合治具を前記第１方向の後端側に移動させて前記取付部を前記治具装着部から取り外すときは、少なくとも前記半嵌合検知用凸部の前記後端部が前記ロック部の前記先端面よりも前記第１方向の後端側に移動するまで、前記第１被ガイド部と前記第２被ガイド部との間に前記ガイド部が挟まれた状態が維持されることで、前記半嵌合検知用凸部が前記原位置に位置する前記ロック部に引っ掛かることなく前記取付部が前記治具装着部から取り外されることで、前記完全嵌合状態であることを検知する
コネクタ嵌合方法。
【発明の詳細な説明】
【技術分野】
【０００１】
本発明は、コネクタ嵌合方法に関する。
【背景技術】
【０００２】
特許文献１には、雄コネクタと雌コネクタとをコネクタ嵌合治具を用いて嵌合するコネクタ嵌合方法が開示されている。具体的には、雄コネクタは、雄コネクタ本体部と、ロック部を有する可撓性のロックアーム（ロック片）とを備える。なお、雄コネクタ本体部とロックアーム（ロック片）との間には、挿入空間が形成されている。また、雌コネクタは、前記雄コネクタ本体部が挿入される挿入空間を有する雌コネクタ本体部と、前記ロック部と係合して前記ロック部を係止する係止部とを備える。また、コネクタ嵌合治具は、雄コネクタの挿入空間内に挿入される挿入部を有する。この挿入部の先端側には、半嵌合検知用凸部が設けられている。
【０００３】
雄コネクタと雌コネクタとを嵌合させるときは、コネクタ嵌合治具の挿入部を第１方向先端側（挿入方向）に移動させることで雄コネクタの挿入空間内に挿入して、コネクタ嵌合治具を雄コネクタにセットした状態で、雄コネクタ本体部を雌コネクタ本体部の挿入空間内に挿入してゆくと、原位置に位置しているロック部が係止部に接触する。
【０００４】
その後、さらに、雄コネクタ本体部を雌コネクタ本体部の挿入空間内に挿入させてゆくと、ロック部が係止部から挿入空間側（挿入部側）に力を受けることによって、ロックアームが挿入空間側（挿入部側）に撓みつつロック部が挿入空間側（挿入部側）に変位してゆき、ロック部が原位置から挿入部側に変位した状態の、雄コネクタと雌コネクタとが完全に嵌合していない半嵌合状態となる。
【０００５】
その後、さらに、雄コネクタ本体部を雌コネクタ本体部の挿入空間内に挿入させてゆくと、ロック部が係止部から受けていた力が解除され、撓んでいたロックアームがその弾性によって復元すると共にロック部が原位置に戻り、ロック部が係止部と係合してロック部が係止部によって係止された状態の、雄コネクタと雌コネクタとが完全に嵌合した完全嵌合状態となる。
【０００６】
また、雄コネクタのロックアームは、前述のロック部よりも、第１方向後端側（挿入部を挿入空間から引き抜くときの引き抜き方向）に位置する押圧部を有する。さらに、第１方向について、ロック部と押圧部との間には、コネクタ嵌合治具の挿入部の半嵌合検知用凸部が挿入可能なスリット部が形成されている。
【０００７】
コネクタ嵌合治具の挿入部を雄コネクタの挿入空間内に挿入して、コネクタ嵌合治具を雄コネクタにセットしたときは、挿入部の半嵌合検知用凸部は、ロックアームに形成されているスリット部内に挿入可能な位置（第１方向についてスリット部内に含まれる位置）に配置される。このため、ロックアームが挿入空間側（挿入部側）に撓んでロック部が原位置から挿入部側に変位して、雄コネクタと雌コネクタとが完全に嵌合していない半嵌合状態である場合には、半嵌合検知用凸部がロックアームのスリット部内に挿入される。
【０００８】
従って、雄コネクタと雌コネクタとが完全に嵌合していない半嵌合状態である場合に、コネクタ嵌合治具の挿入部を、第１方向後端側に移動して挿入空間から引き抜こうとすると、ロックアームのスリット部内に挿入されている半嵌合検知用凸部が、押圧部の先端面に引っ掛かり、コネクタ嵌合治具の挿入部を挿入空間から引き抜くことができないことで、半嵌合状態であることを検知することができる。
【０００９】
一方、雄コネクタと雌コネクタとが完全に嵌合した完全嵌合状態である場合、コネクタ嵌合治具の挿入部を、第１方向後端側に移動して挿入空間から引き抜くときは、半嵌合検知用凸部が原位置に位置するロックアームの押圧部に引っ掛かることなく、挿入部が挿入空間から引き抜かれることで、完全嵌合状態であることを検知することができる。
【先行技術文献】
【特許文献】
【００１０】
【特許文献１】特開２０１５−４１４６９号公報
【発明の概要】
【発明が解決しようとする課題】
【００１１】
ところが、上述のコネクタ嵌合方法では、完全嵌合状態であるにも拘わらず、半嵌合状態であると誤検知する虞があった。具体的には、コネクタ嵌合治具の挿入部を挿入空間から引き抜くときに、コネクタ嵌合治具が傾くなどして、ロックアームのスリット部内に挿入されている半嵌合検知用凸部が、押圧部の先端面に引っ掛かる虞があった。この場合、完全嵌合状態であるにも拘わらず、作業者は、半嵌合状態であると判断し、雄コネクタ本体部を、雌コネクタ本体部の挿入空間内にさらに押し込む作業をするなどした後、再度、コネクタ嵌合治具の挿入部を挿入空間から引き抜くようにしなければならず、作業効率が低下する虞があった。
【００１２】
本発明は、かかる現状に鑑みてなされたものであって、雄コネクタと雌コネクタとが完全嵌合状態であるにも拘わらず半嵌合状態であると誤検知（誤判断）することを低減することができるコネクタ嵌合方法を提供することを目的とする。
【課題を解決するための手段】
【００１３】
本発明の一態様は、雄コネクタと雌コネクタとをコネクタ嵌合治具を用いて嵌合するコネクタ嵌合方法において、前記雄コネクタは、雄コネクタ本体部と、ロック部を有する可撓性のロックアームを含む治具装着部と、を備え、前記雌コネクタは、前記雄コネクタ本体部が挿入される挿入空間を有する雌コネクタ本体部と、前記ロック部と係合して前記ロック部を係止する係止部と、を備え、前記コネクタ嵌合治具は、前記雄コネクタの前記治具装着部に取り付ける取付部を有し、前記雄コネクタと前記雌コネクタとを嵌合させるときは、前記コネクタ嵌合治具の前記取付部を前記雄コネクタの前記治具装着部に取り付けた状態で、前記雄コネクタ本体部を前記雌コネクタ本体部の前記挿入空間内に挿入してゆくと、原位置に位置している前記ロック部が前記係止部に接触し、その後、さらに、前記雄コネクタ本体部を前記雌コネクタ本体部の前記挿入空間内に挿入させてゆくと、前記ロック部が前記係止部から前記取付部側に力を受けることによって、前記ロックアームが前記取付部側に撓みつつ前記ロック部が前記取付部側に変位してゆき、前記ロック部が前記原位置から前記取付部側に変位した状態の、前記雄コネクタと前記雌コネクタとが完全に嵌合していない半嵌合状態となり、その後、さらに、前記雄コネクタ本体部を前記雌コネクタ本体部の前記挿入空間内に挿入させてゆくと、前記ロック部が前記係止部から受けていた力が解除され、撓んでいた前記ロックアームがその弾性によって復元すると共に前記ロック部が前記原位置に戻り、前記ロック部が前記係止部と係合して前記ロック部が前記係止部によって係止された状態の、前記雄コネクタと前記雌コネクタとが完全に嵌合した完全嵌合状態となるコネクタ嵌合方法であって、前記雄コネクタの前記治具装着部は、第１方向に延びる平板形状のガイド部を備え、前記コネクタ嵌合治具の前記取付部は、間隙を空けて前記第１方向に平行に延びる一対の被ガイド部であって、当該取付部を前記治具装着部に取り付けた状態で前記ガイド部を挟む一対の被ガイド部を有し、前記一対の被ガイド部は、前記ガイド部を挟んだ状態で、前記ロック部と前記ガイド部との間に位置する平板状の第１被ガイド部と、前記ガイド部について前記第１被ガイド部とは反対側に位置する平板状の第２被ガイド部とであり、前記第１被ガイド部は、前記第１方向の先端側に、前記ロック部側に突出する形態の半嵌合検知用凸部を有し、前記コネクタ嵌合治具の前記取付部を前記雄コネクタの前記治具装着部に取り付けるときは、前記第１被ガイド部と前記第２被ガイド部との間に前記ガイド部を挟み入れるようにして、前記第１被ガイド部及び前記第２被ガイド部をその先端側から前記第１方向の先端側に移動させて、前記半嵌合検知用凸部を前記ロック部よりも前記第１方向の先端側に配置して、前記取付部が前記治具装着部に取り付けられた状態にし、前記コネクタ嵌合治具を前記第１方向の後端側に移動させて前記取付部を前記治具装着部から取り外すときは、前記第１被ガイド部と前記第２被ガイド部とが、両者の間に挟まれている前記ガイド部によって前記第１方向の後端側への移動を案内され、前記半嵌合状態である場合に、前記コネクタ嵌合治具を前記第１方向の後端側に移動させて前記取付部を前記治具装着部から取り外そうとすると、前記半嵌合検知用凸部の後端部が、前記原位置から前記第１被ガイド部側に変位している前記ロック部の先端面に接触する態様で、前記半嵌合検知用凸部が前記ロック部に引っ掛かり、前記第１被ガイド部と前記第２被ガイド部との間に前記ガイド部が挟まれた状態が維持されて、前記取付部を前記治具装着部から取り外すことができないことで、前記半嵌合状態であることを検知し、前記完全嵌合状態である場合、前記コネクタ嵌合治具を前記第１方向の後端側に移動させて前記取付部を前記治具装着部から取り外すときは、少なくとも前記半嵌合検知用凸部の前記後端部が前記ロック部の前記先端面よりも前記第１方向の後端側に移動するまで、前記第１被ガイド部と前記第２被ガイド部との間に前記ガイド部が挟まれた状態が維持されることで、前記半嵌合検知用凸部が前記原位置に位置する前記ロック部に引っ掛かることなく前記取付部が前記治具装着部から取り外されることで、前記完全嵌合状態であることを検知するコネクタ嵌合方法である。
【００１４】
上述のコネクタ嵌合方法では、雄コネクタとして、雄コネクタ本体部と、ロック部を有する可撓性のロックアームを含む治具装着部とを備える雄コネクタを用いる。この雄コネクタの治具装着部は、第１方向に延びる平板形状のガイド部を備える。
【００１５】
また、コネクタ嵌合治具として、雄コネクタの治具装着部に取り付ける取付部を有するコネクタ嵌合治具を用いる。コネクタ嵌合治具の取付部は、間隙を空けて第１方向に平行に延びる一対の被ガイド部であって、当該取付部を治具装着部に取り付けた状態でガイド部を挟む形態の一対の被ガイド部を有する。一対の被ガイド部は、雄コネクタのガイド部を挟んだ状態で、ロック部とガイド部との間に位置する平板状の第１被ガイド部と、ガイド部について第１被ガイド部とは反対側に位置する（ガイド部よりもロック部から離れて位置する）平板状の第２被ガイド部とである。このうち、第１被ガイド部は、取付部を治具装着部に取り付けた状態で、当該第１被ガイド部の第１方向の先端側に、ロック部側に突出する形態の半嵌合検知用凸部を有する。
【００１６】
上述のコネクタ嵌合方法では、コネクタ嵌合治具の取付部を雄コネクタの治具装着部に取り付けるときは、第１被ガイド部と第２被ガイド部との間にガイド部を挟み入れるようにして、第１被ガイド部及び第２被ガイド部をその先端側から第１方向の先端側（取付方向）に移動させて、半嵌合検知用凸部をロック部よりも第１方向の先端側に配置して、取付部が治具装着部に取り付けられた状態にする。
【００１７】
一方、コネクタ嵌合治具の取付部を雄コネクタの治具装着部から取り外すときは、コネクタ嵌合治具を第１方向の後端側（取付方向とは反対方向である取り外し方向）に移動させる。このとき、上述のコネクタ嵌合方法では、第１被ガイド部と第２被ガイド部とが、両者の間に挟まれているガイド部によって、第１方向の後端側への移動を案内される（第１方向の後端側に真っ直ぐ移動するように導かれる）。具体的には、例えば、第１被ガイド部が、ガイド部のうちロック部側を向いて第１方向に延びる平面である第１ガイド平面に接触することで、第１ガイド平面に対し交差する方向に傾くことを規制（防止）されると共に、第２被ガイド部が、ガイド部のうち第１ガイド平面と反対側を向いて第１方向に延びる平面である第２ガイド平面に接触することで、第２ガイド平面に対し交差する方向に傾くことを規制（防止）されるようにして、第１方向の後端側への移動を案内される。
【００１８】
換言すれば、コネクタ嵌合治具の第１被ガイド部と第２被ガイド部、及び、雄コネクタのガイド部は、コネクタ嵌合治具の取付部を雄コネクタの治具装着部から取り外すために、コネクタ嵌合治具を第１方向の後端側に移動させたとき、第１被ガイド部と第２被ガイド部とが、両者の間に挟まれているガイド部によって第１方向の後端側への移動を案内される構成（構造）を有している。例えば、第１被ガイド部が、ガイド部のうちロック部側を向いて第１方向に延びる第１ガイド平面に接触することで、第１ガイド平面に対し交差する方向に傾くことを規制（防止）されると共に、第２被ガイド部が、第１ガイド平面と反対側を向いて第１方向に延びる第２ガイド平面に接触することで、第２ガイド平面に対し交差する方向に傾くことを規制（防止）されるようにして、第１方向の後端側への移動を案内される構成（構造）を有する。
【００１９】
さらに、上述のコネクタ嵌合方法では、「ロック部が係止部から取付部側に力を受ける（係止部によって取付部側に押圧される）ことによって、ロックアームが取付部側に撓んで、ロック部が原位置から取付部側に変位した状態となっている、雄コネクタと雌コネクタとが完全に嵌合していない半嵌合状態（ハーフロック状態）」である場合に、コネクタ嵌合治具を第１方向の後端側（取り外し方向）に移動させて、取付部を治具装着部から取り外そうとすると、半嵌合検知用凸部の後端部（後端面）が、原位置から第１被ガイド部側に変位しているロック部の先端面に接触する態様で、半嵌合検知用凸部がロック部に引っ掛かり（これにより、これ以上取付部を第１方向の後端側に移動させることができなくなり）、第１被ガイド部と第２被ガイド部との間にガイド部が挟まれた状態が維持される。このために、取付部を治具装着部から取り外すことができず、これによって、雄コネクタと雌コネクタとが半嵌合状態であることを検知する（半嵌合状態であると判断する）ことができる。
【００２０】
換言すれば、コネクタ嵌合治具の取付部と雄コネクタの治具装着部とは、取付部を治具装着部に取り付けた状態で、ロック部が係止部から取付部側に力を受ける（係止部によって取付部側に押圧される）ことによって、ロックアームが取付部側に撓んで、ロック部が原位置から取付部側に変位している状態（すなわち、半嵌合状態）において、コネクタ嵌合治具（取付部）を第１方向の後端側に移動させたとき、半嵌合検知用凸部の後端部がロック部の先端面に引っ掛かる（接触する）構成（構造）を有している。
【００２１】
すなわち、コネクタ嵌合治具の取付部と雄コネクタの治具装着部とは、取付部を治具装着部に取り付けた状態で、ロック部が係止部から取付部側に力を受けることによって、ロックアームが取付部側に撓んで、当該ロック部が原位置から取付部側に変位しているとき、ロック部の先端面の少なくとも一部が、半嵌合検知用凸部の後端部（後端面）の少なくとも一部と、第１方向について対向する位置関係（第１方向に見て、ロック部の先端面の少なくとも一部が半嵌合検知用凸部の後端部（後端面）の少なくとも一部と重なる位置関係）となるように構成されている。
【００２２】
一方、「雄コネクタと雌コネクタとが完全に嵌合した完全嵌合状態（完全ロック状態）となることで、ロック部が原位置に戻った状態」である場合に、コネクタ嵌合治具を第１方向の後端側に移動させて、取付部を治具装着部から取り外すときは、少なくとも半嵌合検知用凸部の後端部がロック部の先端面よりも第１方向の後端側に移動するまで、第１被ガイド部と第２被ガイド部との間にガイド部が挟まれた状態が維持されて、半嵌合検知用凸部が原位置に位置するロック部に引っ掛かることなく取付部を治具装着部から取り外すことができることで、完全嵌合状態であることを検知する（完全嵌合状態であると判断する）ことができる。
【００２３】
換言すれば、コネクタ嵌合治具の取付部と雄コネクタの治具装着部とは、取付部を治具装着部に取り付けた状態で、コネクタ嵌合治具を第１方向の後端側に移動させたとき、少なくとも半嵌合検知用凸部の後端部がロック部の先端面よりも第１方向の後端側に移動するまで、第１被ガイド部と第２被ガイド部との間にガイド部が挟まれた状態が維持されるように構成されている（維持される構造を有する）。
【００２４】
さらに、コネクタ嵌合治具の取付部と雄コネクタの治具装着部とは、取付部を治具装着部に取り付けた状態で、ロック部が原位置に位置しているとき（完全嵌合状態であるとき）は、ロック部の先端面と半嵌合検知用凸部の後端部（後端面）とが、第１方向について対向しない（対面しない）位置関係（第１方向に見て、ロック部の先端面が半嵌合検知用凸部の後端部（後端面）と全く重ならない位置関係）となるように構成されている（位置関係となる構造を有する）。
【００２５】
特に、上述のコネクタ嵌合方法では、前述のように、取付部を治具装着部から取り外すためにコネクタ嵌合治具を第１方向の後端側に移動させたとき、第１被ガイド部と第２被ガイド部とが、両者の間に挟まれているガイド部によって、第１方向の後端側への移動を案内される（第１方向の後端側に真っ直ぐ移動するように導かれる）。詳細には、例えば、第１被ガイド部が、ガイド部のうちロック部側を向いて第１方向に延びる第１ガイド平面に接触することで、第１ガイド平面に対し交差する方向に傾くことを規制（防止）されると共に、第２被ガイド部が、第１ガイド平面と反対側を向いて第１方向に延びる第２ガイド平面に接触することで、第２ガイド平面に対し交差する方向に傾くことを規制（防止）されるようにして、第１方向の後端側への移動を案内される。
【００２６】
このため、上述のコネクタ嵌合方法では、雄コネクタと雌コネクタとが完全嵌合状態であるとき（従って、ロック部が原位置に位置しているとき）は、取付部を治具装着部から取り外すためにコネクタ嵌合治具を第１方向の後端側に移動させている途中で、「半嵌合検知用凸部を有する第１被ガイド部がガイド部の第１ガイド平面に交差する方向に傾くことで、半嵌合検知用凸部の後端部の少なくとも一部が、ロック部の先端面の少なくとも一部と、第１方向について対向する位置関係（第１方向に見て、半嵌合検知用凸部の後端部の少なくとも一部がロック部の先端面の少なくとも一部と重なる位置関係）となり、半嵌合検知用凸部が原位置に位置するロック部に引っ掛かる」ことを低減することができる。
【００２７】
従って、上述のコネクタ嵌合方法では、「雄コネクタと雌コネクタとが完全嵌合状態であるにも拘わらず半嵌合状態であると誤検知（誤判断）する」ことを低減することができる。
【図面の簡単な説明】
【００２８】
【図１】実施形態にかかる雄コネクタの斜視図である。
【図２】同雄コネクタの他の斜視図である。
【図３】同雄コネクタの断面図である。
【図４】実施形態にかかる雌コネクタの斜視図である。
【図５】同雌コネクタの断面図である。
【図６】実施形態にかかるコネクタ嵌合治具の斜視図である。
【図７】同コネクタ嵌合治具の他の斜視図である。
【図８】コネクタ嵌合治具を雄コネクタに取り付ける方法の説明図である。
【図９】コネクタ嵌合治具を雄コネクタに取り付けた状態を示す図である。
【図１０】実施形態にかかるコネクタ嵌合方法を説明する図である。
【図１１】実施形態にかかるコネクタ嵌合方法を説明する他の図である。
【図１２】実施形態にかかるコネクタ嵌合方法を説明する他の図である。
【図１３】実施形態にかかるコネクタ嵌合方法を説明する他の図である。
【図１４】実施形態にかかるコネクタ嵌合方法を説明する他の図である。
【図１５】実施形態にかかるコネクタ嵌合方法を説明する他の図である。
【図１６】実施形態にかかるコネクタ嵌合方法を説明する他の図である。
【発明を実施するための形態】
【００２９】
（実施形態）
次に、本発明の実施形態について説明する。図１は、実施形態にかかる雄コネクタ１０の斜視図である。図２は、雄コネクタ１０の他の斜視図である。図３は、雄コネクタ１０の断面図であり、雄コネクタ１０の幅方向ＤＷ（図３において紙面に直交する方向）の中心位置で、第１方向Ｄ１に沿って切断した断面図である。図４は、実施形態にかかる雌コネクタ２０の斜視図である。図５は、雌コネクタ２０の断面図であり、雌コネクタ２０の幅方向（図５において紙面に直交する方向）の中心位置で切断した断面図である。
【００３０】
まず、雄コネクタ１０について説明する。雄コネクタ１０は、図１〜図３に示すように、雄コネクタ本体部１１と、この雄コネクタ本体部１１の上部（第２方向Ｄ２の一方側Ｄ２１に位置する部位）に設けられた治具装着部１５とを備えている。雄コネクタ本体部１１に内部には、雌端子金具１２が設けられている。この雌端子金具１２は、雄コネクタ１０に連結されているケーブル１３の内部に位置する導線（図示なし）に接続されている。
【００３１】
治具装着部１５は、可撓性のロックアーム１６を有する。このロックアーム１６は、可撓性を有する一対のアーム部１６ｂと、アーム部１６ｂの先端側に位置する鉤状のロック部１７とを有する。一対のアーム部１６ｂは、幅方向ＤＷに間隔を空けて、第１方向Ｄ１に平行に延びる形態をなしている（図２参照）。一対のアーム部１６ｂは、その後端部（第１方向Ｄ１の後端側Ｄ１Ｋに位置する部位、図３において右側に位置する部位）が、雄コネクタ本体部１１の上面１１ｂ（第２方向Ｄ２の一方側Ｄ２１に位置する面）に固定されており、これよりも先端側（第１方向Ｄ１の先端側Ｄ１Ｓ、図３において左側）に位置する部位が、第２方向Ｄ２（図３において上下方向）に撓むように形成されている。
【００３２】
また、ロック部１７は、一対のアーム部１６ｂの先端部（第１方向Ｄ１の先端側Ｄ１Ｓに位置する部位、図３において左側に位置する部位）に接続している。従って、ロックアーム１６のアーム部１６ｂが第２方向Ｄ２に撓むことで、ロック部１７が第２方向Ｄ２（上下方向）に変位する。なお、ロックアーム１６のアーム部１６ｂが撓んでいない状態（図３に示す状態）におけるロック部１７の位置が、ロック部１７の原位置である。
【００３３】
さらに、治具装着部１５は、ロック部１７の上面に接続して、第１方向Ｄ１の後端側Ｄ１Ｋ（図３において右側）に延びるロック解除部１９を有する。このロック解除部１９は、その後端部に、解除用押圧部１９ｂを有している。作業者等が、この解除用押圧部１９ｂを下方（第２方向Ｄ２の他方側Ｄ２２）に押圧すると、ロックアーム１６が上方（第２方向Ｄ２の一方側Ｄ２１）に撓むと共に、ロック部１７が第２方向Ｄ２も上方（第２方向Ｄ２の一方側Ｄ２１）に変位する。
【００３４】
さらに、治具装着部１５は、第１方向Ｄ１に延びる平板形状のガイド部１８を備えている。このガイド部１８は、雄コネクタ本体部１１の上面１１ｂに固定されて、第１方向Ｄ１に延びる一対の側壁部１４，１４の先端部に挟まれるようにして、側壁部１４，１４と一体に形成されている。このガイド部１８は、ロック部１７よりも第１方向Ｄ１の先端側Ｄ１Ｓ（図３において左側）で、且つ、ロック部１７よりも第２方向Ｄ２の一方側Ｄ２１（図３において上方）に配置されている。ガイド部１８は、ロック部１７側（第２方向Ｄ２の他方側Ｄ２２、図３において下方）を向いて第１方向Ｄ１（図３において左右方向）に延びる平面である第１ガイド平面１８ｂと、第１ガイド平面１８ｂとは反対側（第２方向Ｄ２の一方側Ｄ２１、図３において上方）を向いて第１方向Ｄ１に延びる平面である第２ガイド平面１８ｃとを有する。
【００３５】
次に、雌コネクタ２０について説明する。雌コネクタ２０は、図４及び図５に示すように、雄コネクタ本体部１１が挿入される挿入空間２１ｂを有する雌コネクタ本体部２１と、雄コネクタ１０のロック部１７と係合してロック部１７を係止する係止部２５とを備える。雌コネクタ本体部２１の内部（挿入空間２１ｂ）には、雄端子金具２２が設けられている。この雄端子金具２２は、雌コネクタ２０に連結されているケーブル２３の内部に位置する導線（図示なし）に接続されている。
【００３６】
雄コネクタ１０の雄コネクタ本体部１１を、雌コネクタ本体部２１の挿入空間２１ｂ内に挿入して、雄コネクタ１０のロック部１７が雌コネクタ２０の係止部２５と係合して、ロック部１７が係止部２５によって係止された状態となることで、雄コネクタ１０と雌コネクタ２０とが完全に嵌合した状態（完全嵌合状態、図１６に示す状態）となる。これにより、雄コネクタ１０の雌端子金具１２と雌コネクタ２０の雄端子金具２２とが接続されて、ケーブル１３とケーブル２３とが電気的に接続される。
【００３７】
次に、実施形態にかかるコネクタ嵌合治具３０について説明する。図６は、コネクタ嵌合治具３０の斜視図である。図７は、コネクタ嵌合治具３０の他の斜視図であり、図６の反対側の斜視図である。コネクタ嵌合治具３０は、第１方向Ｄ１に延びる棒状をなし、矩形棒状の本体部３８と、この本体部３８の先端側（第１方向Ｄ１の先端側Ｄ１Ｓ）に位置する取付部３１とを有する。取付部３１は、雄コネクタ１０の治具装着部１５に取り付けられる部位である。
【００３８】
この取付部３１は、第２方向Ｄ２に間隙を空けて、第１方向Ｄ１に平行に延びる一対の被ガイド部３２，３３と、一対の被ガイド部３２，３３を連結する連結部３４とを有する。一対の被ガイド部３２，３３は、取付部３１を雄コネクタ１０の治具装着部１５に取り付けた状態（図９に示す状態）で、治具装着部１５のガイド部１８を挟む形態を有する。
【００３９】
図９に示すように、一対の被ガイド部３２，３３は、治具装着部１５のガイド部１８を挟んだ状態で、ロック部１７とガイド部１８との間に位置する（図９においてガイド部１８よりも下方に位置する、ガイド部１８よりも第２方向Ｄ２の他方側Ｄ２２に位置する）平板状の第１被ガイド部３２と、ガイド部１８について第１被ガイド部３２とは反対側に位置する（図９においてガイド部１８よりも上方に位置する、ガイド部１８よりも第２方向Ｄ２の一方側Ｄ２１に位置する）平板状の第２被ガイド部３３とである。このうち、第１被ガイド部３２は、取付部３１を治具装着部１５に取り付けた状態で、当該第１被ガイド部３２の第１方向Ｄ１の先端側Ｄ１Ｓに、ロック部１７側（図９において下方、第２方向Ｄ２の他方側Ｄ２２）に突出する形態の半嵌合検知用凸部３５を有する。
【００４０】
ここで、コネクタ嵌合治具３０（取付部３１）の雄コネクタ１０（治具装着部１５）への着脱方法について説明する。まず、コネクタ嵌合治具３０の取付部３１を雄コネクタ１０の治具装着部１５に取り付けるときは、第１被ガイド部３２と第２被ガイド部３３との間にガイド部１８を挟み入れるようにして、第１被ガイド部３２及び第２被ガイド部３３をその先端側から第１方向Ｄ１の先端側Ｄ１Ｓ（挿入方向）に移動させる。
【００４１】
より具体的には、図８に示すように、第１被ガイド部３２を解除用押圧部１９ｂの上面に配置した状態から、コネクタ嵌合治具３０を第１方向Ｄ１の先端側Ｄ１Ｓ（挿入方向）に移動させてゆき、第１被ガイド部３２と第２被ガイド部３３との間にガイド部１８を挟み入れるようにする。そして、図９に示すように、第１被ガイド部３２と第２被ガイド部３３とを連結する連結部３４が、ガイド部１８に当接することで、コネクタ嵌合治具３０の取付部３１に雄コネクタ１０の治具装着部１５が取り付けられた状態となる。このとき、半嵌合検知用凸部３５がロック部１７よりも第１方向Ｄ１の先端側Ｄ１Ｓに配置されると共に、第１被ガイド部３２と第２被ガイド部３３との間にガイド部１８が挟まれた状態となる。
【００４２】
一方、コネクタ嵌合治具３０の取付部３１を雄コネクタ１０の治具装着部１５から取り外すときは、取り付けるときとは反対に、コネクタ嵌合治具３０を第１方向Ｄ１の後端側Ｄ１Ｋに移動させる。
【００４３】
ところで、本実施形態のガイド部１８は、前述のように、ロック部１７側（第２方向Ｄ２の他方側Ｄ２２、図９において下方）を向いて第１方向Ｄ１（図９において左右方向）に延びる第１ガイド平面１８ｂと、第１ガイド平面１８ｂとは反対側（第２方向Ｄ２の一方側Ｄ２１、図９において上方）を向いて第１方向Ｄ１に延びる第２ガイド平面１８ｃとを有している。
【００４４】
さらに、コネクタ嵌合治具３０の取付部３１が雄コネクタ１０の治具装着部１５に取り付けられた状態において、第１被ガイド部３２は、第２方向Ｄ２の一方側Ｄ２１（図９において上方）を向いて第１方向Ｄ１に延びる平面である第１平面３２ｂを有し、第２被ガイド部３３は、第２方向Ｄ２の他方側Ｄ２２（図９において下方）を向いて第１方向Ｄ１に延びる平面である第２平面３３ｂを有している。
【００４５】
そして、コネクタ嵌合治具３０の取付部３１が雄コネクタ１０の治具装着部１５に取り付けられた状態において、第１被ガイド部３２の第１平面３２ｂがガイド部１８の第１ガイド平面１８ｂと対向（近接乃至は接触）すると共に、第２被ガイド部３３の第２平面３３ｂがガイド部１８の第２ガイド平面１８ｃと対向（近接乃至は接触）して、第１被ガイド部３２と第２被ガイド部３３との間にガイド部１８が挟まれている。
【００４６】
このため、コネクタ嵌合治具３０の取付部３１を雄コネクタ１０の治具装着部１５から取り外すために、コネクタ嵌合治具３０を第１方向Ｄ１の後端側Ｄ１Ｋに移動させると、第１被ガイド部３２と第２被ガイド部３３とが、両者の間に挟まれているガイド部１８によって、第１方向Ｄ１の後端側Ｄ１Ｋへの移動を案内される（第１方向Ｄ１の後端側Ｄ１Ｋに真っ直ぐ移動するように導かれる）。
【００４７】
より具体的には、コネクタ嵌合治具３０の取付部３１が雄コネクタ１０の治具装着部１５に取り付けられている状態から、コネクタ嵌合治具３０を第１方向Ｄ１の後端側Ｄ１Ｋに移動させると、第１被ガイド部３２の第１平面３２ｂが、ガイド部１８の第１ガイド平面１８ｂに接触することで、第１ガイド平面１８ｂに対し交差する方向（図９において斜め上方または斜め下方）に傾くことを規制（防止）されると共に、第２被ガイド部３３の第２平面３３ｂが、ガイド部１８の第２ガイド平面１８ｃに接触することで、第２ガイド平面に対し交差する方向（図９において斜め上方または斜め下方）に傾くことを規制（防止）されるようにして、第１被ガイド部３２及び第２被ガイド部３３を含む取付部３１が、第１方向Ｄ１の後端側Ｄ１Ｋへの移動を案内される。
【００４８】
換言すれば、コネクタ嵌合治具３０の第１被ガイド部３２と第２被ガイド部３３、及び、雄コネクタ１０のガイド部１８は、コネクタ嵌合治具３０の取付部３１を雄コネクタ１０の治具装着部１５から取り外すために、コネクタ嵌合治具３０を第１方向Ｄ１の後端側Ｄ１Ｋに移動させたとき、第１被ガイド部３２と第２被ガイド部３３とが、両者の間に挟まれているガイド部１８によって第１方向Ｄ１の後端側Ｄ１Ｋへの移動を案内される構成（構造）を有している。
【００４９】
より具体的には、コネクタ嵌合治具３０の取付部３１が雄コネクタ１０の治具装着部１５に取り付けられている状態から、コネクタ嵌合治具３０を第１方向Ｄ１の後端側Ｄ１Ｋに移動させたときに、第１被ガイド部３２の第１平面３２ｂが、ガイド部１８の第１ガイド平面１８ｂに接触することで、第１ガイド平面１８ｂに対し交差する方向（図９において斜め上方または斜め下方）に傾くことを規制（防止）されると共に、第２被ガイド部３３の第２平面３３ｂが、ガイド部１８の第２ガイド平面１８ｃに接触することで、第２ガイド平面に対し交差する方向（図９において斜め上方または斜め下方）に傾くことを規制（防止）されるようにして、第１被ガイド部３２及び第２被ガイド部３３を含む取付部３１が、第１方向Ｄ１の後端側Ｄ１Ｋへの移動を案内される構成（構造）を有する。
【００５０】
次に、本実施形態のコネクタ嵌合方法について説明する。本実施形態では、雄コネクタ１０と雌コネクタ２０とをコネクタ嵌合治具３０を用いて嵌合する。
まず、図１０に示すように、コネクタ嵌合治具３０の取付部３１を雄コネクタ１０の治具装着部１５に取り付けた状態で、これらを第１方向Ｄ１の先端側Ｄ１Ｓに移動させて、雄コネクタ本体部１１を雌コネクタ本体部２１の挿入空間２１ｂ内に挿入してゆく。すると、やがて、図１１に示すように、原位置に位置しているロック部１７が、雌コネクタ２０の係止部２５の傾斜面２５ｂに接触する。なお、係止部２５の傾斜面２５ｂは、第１方向Ｄ１の先端側Ｄ１Ｓに位置する部位ほど第２方向Ｄ２の一方側Ｄ２１に位置する傾斜面である。
【００５１】
その後、さらに、雄コネクタ本体部１１を雌コネクタ本体部２１の挿入空間２１ｂ内に挿入させてゆくと、図１２に示すように、ロック部１７が、雌コネクタ２０の係止部２５の傾斜面２５ｂに沿うようにして、第２方向Ｄ２の一方側Ｄ２１（図１２において上方）に変位してゆく。詳細には、ロック部１７が、係止部２５から、コネクタ嵌合治具３０の取付部３１側（第２方向Ｄ２の一方側Ｄ２１、図１２において上方）に力を受けることによって、ロックアーム１６のアーム部１６ｂが取付部３１側に撓みつつ、ロック部１７が取付部３１側に変位してゆき、ロック部１７が原位置から取付部３１側に変位した状態となる。この状態が、雄コネクタ１０と雌コネクタ２０とが完全に嵌合していない半嵌合状態（ハーフロック状態）である。
【００５２】
その後、さらに、雄コネクタ本体部１１を雌コネクタ本体部２１の挿入空間２１ｂ内に挿入させてゆくと、ロック部１７が、雌コネクタ２０の係止部２５の傾斜面２５ｂを通過した後、ロック部１７が係止部２５から受けていた力が解除される（図１３参照）。これにより、図１３に示すように、撓んでいたロックアーム１６のアーム部１６ｂがその弾性によって復元すると共に、ロック部１７が原位置に戻り、ロック部１７が係止部２５と係合して、ロック部１７が係止部２５によって係止された状態となる。詳細には、ロック部１７のロック面１７ｃが係止部２５の係止面２５ｃに接触する態様で、ロック部１７が第１方向Ｄ１の後端側Ｄ１Ｋ（図１３において右側）に移動するのを規制（防止）される。すなわち、雄コネクタ１０が第１方向Ｄ１の後端側Ｄ１Ｋ（図１３において右側）に移動して雌コネクタ２０から抜けてしまうことが防止される。この状態が、雄コネクタ１０と雌コネクタ２０とが完全に嵌合した完全嵌合状態である。
【００５３】
ところで、本実施形態では、雄コネクタ１０と雌コネクタ２０とが半嵌合状態である場合に、図１４に示すように、コネクタ嵌合治具３０を第１方向Ｄ１の後端側Ｄ１Ｋ（図１４において右側）に移動させて、コネクタ嵌合治具３０の取付部３１を雄コネクタ１０の治具装着部１５から取り外そうとしても、取り外すことができないように構成されている。
【００５４】
具体的には、コネクタ嵌合治具３０の半嵌合検知用凸部３５の後端部３５ｂ（後端面３５ｃ）が、原位置から第１被ガイド部３２側（第２方向Ｄ２の一方側Ｄ２１、図１４において上方）に変位しているロック部１７の先端面１７ｂに接触する態様で、半嵌合検知用凸部３５がロック部１７に引っ掛かり（これにより、これ以上取付部３１を第１方向Ｄ１の後端側Ｄ１Ｋに移動させることができなくなり）、第１被ガイド部３２と第２被ガイド部３３との間にガイド部１８が挟まれた状態が維持される。このために、取付部３１を治具装着部１５から取り外すことができず、これによって、雄コネクタ１０と雌コネクタ２０とが半嵌合状態であることを検知する（半嵌合状態であると判断する）ことができる。
【００５５】
換言すれば、コネクタ嵌合治具３０の取付部３１と雄コネクタ１０の治具装着部１５とは、取付部３１を治具装着部１５に取り付けた状態で、ロック部１７が係止部２５から取付部３１側（第２方向Ｄ２の一方側Ｄ２１、図１４において上方）に力を受ける（係止部２５によって取付部３１側に押圧される）ことによって、ロックアーム１６のアーム部１６ｂが取付部３１側に撓んで、ロック部１７が原位置から取付部３１側に変位している状態（すなわち、半嵌合状態）において、コネクタ嵌合治具３０（取付部３１）を第１方向Ｄ１の後端側Ｄ１Ｋ（図１４において右側）に移動させたとき、半嵌合検知用凸部３５の後端部３５ｂ（後端面３５ｃ）がロック部１７の先端面１７ｂに引っ掛かる（接触する）構成（構造）を有している。
【００５６】
すなわち、コネクタ嵌合治具３０の取付部３１と雄コネクタ１０の治具装着部１５とは、取付部３１を治具装着部１５に取り付けた状態で、ロック部１７が係止部２５から取付部３１側に力を受けることによって、ロックアーム１６のアーム部１６ｂが取付部３１側に撓んで、当該ロック部１７が原位置から取付部３１側（第２方向Ｄ２の一方側Ｄ２１、図１２において上方）に変位しているとき、ロック部１７の先端面１７ｂの少なくとも一部が、半嵌合検知用凸部３５の後端部３５ｂ（後端面３５ｃ）の少なくとも一部と、第１方向Ｄ１について対向する位置関係（第１方向Ｄ１に見て、ロック部１７の先端面１７ｂの少なくとも一部が、半嵌合検知用凸部３５の後端部３５ｂ（後端面３５ｃ）の少なくとも一部と重なる位置関係）となるように構成されている（図１２参照）。
【００５７】
従って、作業者が、雄コネクタ１０と雌コネクタ２０とが半嵌合状態であるにも拘わらず、雄コネクタ１０と雌コネクタ２０とを完全嵌合させたと思い込んで、コネクタ嵌合治具３０を第１方向Ｄ１の後端側Ｄ１Ｋ（図１４において右側）に移動させて、コネクタ嵌合治具３０を雄コネクタ１０から取り外そうとした場合でも、上述のように、半嵌合検知用凸部３５の後端部３５ｂ（後端面３５ｃ）がロック部１７の先端面１７ｂに引っ掛かることで、取付部３１を治具装着部１５から取り外すことができない。これによって、作業者は、雄コネクタ１０と雌コネクタ２０とが半嵌合状態であることを知ることができる。このため、作業者は、雄コネクタ本体部１１を、雌コネクタ本体部２１の挿入空間２１ｂ内にさらに押し込む作業をすることで、雄コネクタ１０と雌コネクタ２０とを完全嵌合状態にすることができる。
【００５８】
一方、「雄コネクタ１０と雌コネクタ２０とが完全嵌合状態（完全ロック状態）となることで、ロック部１７が原位置に戻った状態」である場合に、コネクタ嵌合治具３０を第１方向Ｄ１の後端側Ｄ１Ｋに移動させて、取付部３１を治具装着部１５から取り外すときは、図１５に示すように、少なくとも半嵌合検知用凸部３５の後端部３５ｂ（後端面３５ｃ）がロック部１７の先端面１７ｂよりも第１方向Ｄ１の後端側Ｄ１Ｋ（図１５において右側）に移動するまで、第１被ガイド部３２と第２被ガイド部３３との間にガイド部１８が挟まれた状態が維持されて、半嵌合検知用凸部３５が原位置に位置するロック部１７に引っ掛かることなく取付部３１を治具装着部１５から取り外すことができる（図１５及び図１６参照）。これにより、雄コネクタ１０と雌コネクタ２０とが完全嵌合状態であることを検知する（完全嵌合状態であると判断する）ことができる。
【００５９】
換言すれば、コネクタ嵌合治具３０の取付部３１と雄コネクタ１０の治具装着部１５とは、取付部３１を治具装着部１５に取り付けた状態で、コネクタ嵌合治具３０を第１方向Ｄ１の後端側Ｄ１Ｋに移動させたとき、少なくとも半嵌合検知用凸部３５の後端部３５ｂ（後端面３５ｃ）がロック部１７の先端面１７ｂよりも第１方向Ｄ１の後端側Ｄ１Ｋに移動するまで、第１被ガイド部３２と第２被ガイド部３３との間にガイド部１８が挟まれた状態が維持されるように構成されている（維持される構造を有する）（図１３、図１５参照）。
【００６０】
さらに、コネクタ嵌合治具３０の取付部３１と雄コネクタ１０の治具装着部１５とは、取付部３１を治具装着部１５に取り付けた状態で、ロック部１７が原位置に位置しているとき（完全嵌合状態であるとき）は、ロック部１７の先端面１７ｂと半嵌合検知用凸部３５の後端部３５ｂ（後端面３５ｃ）とが、第１方向Ｄ１について対向しない（対面しない）位置関係（第１方向Ｄ１に見て、ロック部１７の先端面１７ｂが半嵌合検知用凸部３５の後端部３５ｂ（後端面３５ｃ）と全く重ならない位置関係）となるように構成されている（位置関係となる構造を有する）（図１３、図１５参照）。換言すれば、取付部３１を治具装着部１５に取り付けた状態で、ロック部１７が原位置に位置しているとき（完全嵌合状態であるとき）は、半嵌合検知用凸部３５の後端部３５ｂ（後端面３５ｃ）の全体が、ロック部１７の先端面１７ｂよりも第２方向Ｄ２の一方側Ｄ２１（図１３及び図１５において上方）に位置するように構成されている。
【００６１】
特に、本実施形態では、前述のように、コネクタ嵌合治具３０の取付部３１を雄コネクタ１０の治具装着部１５から取り外すために、コネクタ嵌合治具３０を第１方向Ｄ１の後端側Ｄ１Ｋに移動させたとき、第１被ガイド部３２と第２被ガイド部３３とが、両者の間に挟まれているガイド部１８によって、第１方向Ｄ１の後端側Ｄ１Ｋへの移動を案内される（第１方向Ｄ１の後端側Ｄ１Ｋに真っ直ぐ移動するように導かれる）。詳細には、第１被ガイド部３２の第１平面３２ｂが、ガイド部１８の第１ガイド平面１８ｂに接触することで、第１ガイド平面１８ｂに対し交差する方向に傾くことを規制（防止）されると共に、第２被ガイド部３３の第２平面３３ｂが、ガイド部１８の第２ガイド平面１８ｃに接触することで、第２ガイド平面１８ｃに対し交差する方向に傾くことを規制（防止）されるようにして、第１方向Ｄ１の後端側Ｄ１Ｋへの移動を案内される。
【００６２】
このため、雄コネクタ１０と雌コネクタ２０とが完全嵌合状態であるとき（従って、ロック部１７が原位置に位置しているとき）は、取付部３１を治具装着部１５から取り外すためにコネクタ嵌合治具３０を第１方向Ｄ１の後端側Ｄ１Ｋに移動させている途中で、「半嵌合検知用凸部３５を有する第１被ガイド部３２がガイド部１８の第１ガイド平面１８ｂに交差する方向に傾くことで、ロック部１７の先端面１７ｂの少なくとも一部が、半嵌合検知用凸部３５の後端部３５ｂ（後端面３５ｃ）の少なくとも一部と、第１方向Ｄ１について対向する位置関係（第１方向Ｄ１に見て、ロック部１７の先端面１７ｂの少なくとも一部が、半嵌合検知用凸部３５の後端部３５ｂ（後端面３５ｃ）の少なくとも一部と重なる位置関係）となり、半嵌合検知用凸部３５が原位置に位置するロック部１７に引っ掛かる」状態になることを低減することができる。
【００６３】
従って、本実施形態のコネクタ嵌合方法では、「雄コネクタ１０と雌コネクタ２０とが完全嵌合状態であるにも拘わらず半嵌合状態であると誤検知（誤判断）する」ことを低減することができる。
【００６４】
以上において、本発明を実施形態に即して説明したが、本発明は上記実施形態に限定されるものではなく、その要旨を逸脱しない範囲で、適宜変更して適用できることはいうまでもない。
【符号の説明】
【００６５】
１０  雄コネクタ
１１  雄コネクタ本体部
１５  治具装着部
１６  ロックアーム
１７  ロック部
１７ｂ  ロック部の先端面
１８  ガイド部
１８ｂ  第１ガイド平面
１８ｃ  第２ガイド平面
１９  ロック解除部
２０  雌コネクタ
２１  雌コネクタ本体部
２１ｂ  挿入空間
２５  係止部
３０  コネクタ嵌合治具
３１  取付部
３２  第１被ガイド部（一対の被ガイド部）
３２ｂ  第１平面
３３  第２被ガイド部（一対の被ガイド部）
３３ｂ  第２平面
３５  半嵌合検知用凸部
３５ｂ  半嵌合検知用凸部の後端部
３５ｃ  半嵌合検知用凸部の後端面
Ｄ１  第１方向
Ｄ１Ｓ  第１方向の先端側
Ｄ１Ｋ  第１方向の後端側
【図１】
2018056067.tif 000003
【図２】
2018056067.tif 000004
【図３】
2018056067.tif 000005
【図４】
2018056067.tif 000006
【図５】
2018056067.tif 000007
【図６】
2018056067.tif 000008
【図７】
2018056067.tif 000009
【図８】
2018056067.tif 000010
【図９】
2018056067.tif 000011
【図１０】
2018056067.tif 000012
【図１１】
2018056067.tif 000013
【図１２】
2018056067.tif 000014
【図１３】
2018056067.tif 000015
【図１４】
2018056067.tif 000016
【図１５】
2018056067.tif 000017
【図１６】
2018056067.tif 000018